(57)【要約】      （修正有）【課題】社章や装身具、タイタック等に用いられるピンズを洋服等に装着した場合にタックピンをキャッチでつかんでもピンズのボディ部は回動してしまうものであるが、このピンズを所定の状態で回動せずに装着することができるピンズ回動防止具を提供する。【解決手段】ピンズ１のタックピン１１に挿入してピンズ１とキャッチ２の間でピンズ１を装着するピンズ回動防止具３であって、本体３０の中央にタックピン１１を挿通する孔３１を有し、本体３０の該孔３１の挿通方向の両方向の面に突出部３２を有すると共に、該突出部３２は本体３０のそれぞれの方向に少なくとも２つ以上の突出部３２を有するピンズ回動防止具３０である。【選択図】図１
0003206841.tif 000002
【実用新案登録請求の範囲】
【請求項１】
ピンズ１のタックピン１１に挿入してピンズ１とキャッチ２の間でピンズ１を装着するピンズ回動防止具であって、
本体３０の中央にタックピン１１を挿通する孔３１を有し、
本体３０の該孔３１の挿通方向の両方向の面に突出部３２を有すると共に、
該突出部３２は本体３０のそれぞれの方向に少なくとも２つ以上の突出部３２を有することを特徴とするピンズ回動防止具。
【請求項２】
本体３０が少なくとも平板状よりなり、中央部に孔３１を有する本体３０からなることを特徴とする請求項１記載のピンズ回動防止具。
【請求項３】
突出部３２が爪状の突出部３２からなることを特徴とする請求項１記載のピンズ回動防止具。
【請求項４】
少なくとも一方向の面に２乃至６のいずれかの数の突出部３２を有するものであることを特徴とする請求項１記載のピンズ回動防止具。
【請求項５】
本体３０の面の周縁部に突出部３２を有することを特徴とする請求項１記載のピンズ回動防止具。
【請求項６】
本体３０の面の任意位置に突出部３２を有することを特徴とする請求項１記載のピンズ回動防止具。
【請求項７】
ピンズ１のタックピン１１に挿入してピンズ１とキャッチ２の間でピンズ１を装着するピンズ回動防止具であって、
平板状の本体３０の中央部に孔３１を有すると共にその外周側縁の延長方向に放射状に突出部３２を有していると共に該突出部３２は折り曲げ可能な突出部３２であることを特徴とするピンズ回動防止具。
【考案の詳細な説明】
【技術分野】
【０００１】
本考案は、社章や装身具、タイタック等に用いられるピンズのタックピンをキャッチで係止するに際して係止した社章や装身具、タイピン等の回動を防止するためのピンズ回動防止具に関する。
【背景技術】
【０００２】
従来より、本体であるボディ部にタックピンを有するピンズは種々のものに使用されている。例えば社章やタイタック或いはボディ部に装飾品を用いてタックピンで装着する所謂ピンズは多様に使用されている。この場合通常はピンズのタックピンにバネ等の弾性部材等を用いたキャッチを用いて挟み込んで係止して洋服等に装着するものである。
【０００３】
例えば、ワイシャツにホールをあけておきピンズ等のアクセサリーを装着する構成を示している実用新案登録第３１２７０９１号がある。又ピンズ式の装身具を装着するための孔に関する構成を示す特開２０１５−５７５２１号も存在する。更に釦にタイタック機構即ちピンズの機能を有してキャッチである止め具で止める構成を示す実開平５−９３２１７号も存在する。
【先行技術文献】
【特許文献】
【０００４】
【特許文献１】実用新案登録第３１２７０９１号
【特許文献２】特開２０１５−５７５２１号
【特許文献３】実開平５−９３２１７号
【考案の概要】
【考案が解決しようとする課題】
【０００５】
以上の様に、ピンズ構成の社章や装身具、タイタックは洋服等に装着して用いられてきており、装飾体や社章等をボディ部としてこれにタックピンを有し、このピンズのタックピンは止め具であるキャッチによって係止されて用いられているものである。この場合ピンズは、襟元や胸元等或いは装身具として身の回りに多用されていると共に、例えばネクタイ止めとしてタイタック等にも用いられるものである。
【０００６】
前記の通りタックピンをキャッチにより例えば弾圧係止してピンズの装着を行うものであるが、タックピンは針状の細い棒状のものであることから、キャッチでつかんだ場合であっても、このボディ部は回動してしまうものである。特に所定の状態でボディ部を定置させることが難しく、どうしてもボディ部の形状等による重み等でタックピンを軸心として回ってしまい、装着状態が傾いた状態となってしまうものである。このためにこの回動を低減させるために例えばフェルトや布等をボディ部とキャッチの間にはさみこんで、キャッチの装着状態をより弾力をもって近付けて、フェルトや布の弾力や摩擦等を利用して装着することもよく行われる。
【０００７】
この場合であっても例えば装着する服等とフェルトの接する面でボディ部の重み等により回ってしまい、所定の状態でなく傾いた状態での装着となってしまうものであった。従って、この様なピンズの装飾体を所定の状態でタックピンを軸として回動せずに、所定の状態で装着できることが望まれている。
【課題を解決するための手段】
【０００８】
以上のように係る課題を解決するため、まず請求項１に係る考案は、ピンズのタックピンに挿入してピンズとキャッチの間でピンズを装着するピンズ回動防止具であって、本体の中央にタックピンを挿通する孔を有し、本体の該孔の挿通方向の両方向の面に突出部を有すると共に、該突出部は本体のそれぞれの方向に少なくとも２つ以上の突出部を有するピンズ回動防止具からなり、係る考案によって前記課題を解決できる。この場合、請求項２に係る考案のように本体が少なくとも平板状よりなり、中央部に孔を有する本体からなるピンズ回動防止具であってもよい。
【０００９】
更に、請求項３に係る考案のように突出部が爪状の突出部からなるピンズ回動防止具を用いてもよい。この他、請求項４に係る考案のように少なくとも一方向の面に２乃至６のいずれかの数の突出部を有するものであるピンズ回動防止具でもよい。更に、請求項５に係る考案のように本体の面の周縁部に突出部を有するピンズ回動防止具であっても、或いは請求項６に係る考案のように本体の面の任意位置に突出部を有するピンズ回動防止具であってもよい。
【００１０】
この他、請求項７に係る考案のようにピンズのタックピンに挿入してピンズとキャッチの間でピンズを装着するピンズ回動防止具であって、平板状の本体の中央部に孔を有すると共にその外周側縁の延長方向に放射状に突出部を有していると共に該突出部は折り曲げ可能な突出部であるピンズ回動防止具によっても前記課題を解決できる。
【考案の効果】
【００１１】
以上のように構成したことからまず請求項１に係る考案は、ピンズをキャッチにより装着するに際して、ピンズの不用意なる回動をピンズ回動防止具により防止できるものであり、装着時のピンズのボディ部の回動を防ぐことができる。特にピンズ回動防止具の突出部がピンズのボディ部とキャッチの間に挟まれることとなり、この突出部がそれぞれボディ部とキャッチの間に挟まって弾圧状態となり、突出部によってタックピンを軸心としてボディ部が回動することを防げるものである。
【００１２】
さらに請求項２に係る考案によって、本体を平板とすることにより薄い本体を有するピンズ回動防止具の提供ができる。次に請求項３に係る考案によって突出部を爪状となすことによりボディ部とキャッチへの接触をより強固にすることを可能とすると共に、弾圧力を高めることができる。又請求項４に係る考案によって一の面に２乃至６のいずれかの数の突出部を有することとなり、複数又は多数の部分で接触することができるものとなる。
【００１３】
或いは請求項５に係る考案によって本体の面の周縁に突出部を有することにより外周縁部分で突出部を形成でき、本体の面の広い範囲に突出部を設置できるものである。又請求項６に係る考案により、前記周縁部以外にも任意個所に突出部を形成できることから、各種のピンズ例えば各種のボディ部の形状に最適な位置に突出部を形成で、或いは各種のキャッチの形状に適合した位置に突出部を形成できる。
【００１４】
更に請求項７に係る考案によって外周に傾斜状に形成した突出部を折り曲げてボディ部とキャッチに接する状態に形成でき、又ピンズやキャッチの形状に最適な位置に突出部を折り曲げて形成できるものとなり、非常の使い勝手の良いピンズ回動防止具を形成できる。特にこの様に構成することにより、この成形が容易であり、低廉で容易に製造できることとなる。
【図面の簡単な説明】
【００１５】
【図１】本考案に係るピンズ回動防止具の装着する際の状態の一例を示す図
【図２】本考案に係るピンズ回動防止具の装着状態の一例を示す図
【図３】本考案に係るピンズ回動防止具の一例を示す図
【図４】本考案に係るピンズ回動防止具の製造過程の一例を示す図
【図５】本考案に係るピンズ回動防止具の一例を示す図
【図６】本考案に係るピンズ回動防止具の一例を示す図
【図７】本考案に係るピンズ回動防止具の一例を示す図
【図８】本考案に係るピンズ回動防止具の一例を示す図
【図９】本考案に係るピンズ回動防止具の一例を示す図
【図１０】本考案に係るピンズ回動防止具の一例を示す図
【図１１】本考案に係るピンズ回動防止具の使用状態の一例を示す図
【図１２】図１１に示す本考案に係るピンズ回動防止具の装着状態の一例を示す図
【図１３】本考案に係るピンズ回動防止具の使用状態の一例を示す図
【図１４】図１３に示す本考案に係るピンズ回動防止具の装着状態の一例を示す図
【考案を実施するための形態】
【００１６】
図１は、本考案に係るピンズ回動防止具をピンズ１とキャッチ２による装着に際して用いた一例を示す図である。本図に示すようにピンズ１はそのボディ部１０に装飾部等からなるものであり、例えば社章や装飾体或いはタイタック等からなり、このボディ部１０には更にタックピン１１を有する。このようなピンズ１は図示するようにキャッチ２によりこのピンズ１のタックピン１１を係止するものである。
【００１７】
例えばバネ部材等の弾性体等によりタックピン１１を挟み込んでピンズ１を係止する等のキャッチ２は多用されているものである。この場合このピンズ１とキャッチ２の間に本考案に係るピンズ回動防止具３を用いるものである。このピンズ回動防止具３にはタックピン１１を通すための孔３１を有しており、この孔３１をタックピン１１が挿通してキャッチ２で係止されるものである。この場合このピンズ回動防止具３は、前記した孔３１を有する本体３０とこの本体３０から孔３１の挿通方向である両方向の面に突出部３２を有する。
【００１８】
この突出部３２は、少なくとも面上の一方向に２つ以上有していることが必要であり、又、孔３１の挿通方向の両方向の面に両方向に向かって突出部３２を有するものである。この様なピンズ回動防止具３をピンズ１とキャッチ２の間に挟み込むことによりこのピンズ回動防止具３の突出部３２がそれぞれピンズ１とキャッチ２に対して接した状態で係止できるものとなり、タックピン１１を軸心としてピンズ１のボディ部１０の不用意なる回動に際してこの突出部３２の存在により回動方向への回動を制御できることとなり、装着時にピンズ１のボディ部１０の回動を防ぐことができる。
【００１９】
図２は、ピンズ１のタックピン１１をピンズ回動防止具３の孔３１に挿通した状態で更にキャッチ２によりタックピン１１を係止した状態の一例を示す。この様に構成することにより装着時にピンズ回動防止具３の孔３１の挿通方向の両方向面に有する突出部３２がそれぞれピンズ１とキャッチ２に対して接した状態で係止することができる。従ってこの突出部３２により不用意な回動を防止できるものである。
【００２０】
図３は、本考案に係るピンズ回動防止具３の一例を示す図である。本図に示すように本考案に係るピンズ回動防止具３の本体３０は平板状からなり、その中心部にタックピン１１を挿通する孔３１を有する。この本体３０の両面即ち本体に有する孔３１の挿通方向の両方向の面に突出部３２を有するものである。この突出部３２は爪状の突出部からなり、それぞれの方向に４か所の爪状の突出部３２を有する。この場合、それぞれ突出部３２は孔３１の挿通方向の両方向であってそれぞれ同位置から反対方向である放射方向に突出してなるものである。
【００２１】
この様に構成することにより爪状の突出部３２がピンズ１とキャッチ２に対して接し或いは弾圧状態として押さえることができ、不用意なタックピン１１を軸心としたピンズ１の回動を防止できるものである。尚、本図の突出部３２の数及びそれぞれの方向の突出部３２の設置位置などは任意であり、それぞれに応じて適切な数や位置を有するものであればよい。但し、少なくとも孔３１の挿通方向の両方向の面に対して突出部３２を有するものであると共に少なくとも一方向に対して２つの突出部３２を有するものであることが必要である。
【００２２】
尚、これはこの面の外側方向に例えば放射方向に向けて突出しているものであり、該面の両面についてそれぞれ反対方向に放射方向に突出部３２が突出形成されているものである。又、この突出部３２の形状は、爪状の略三角形状の突出部３２を示すがこの他、棒状のものや出っ張り状のもの等突出した形状であればよい。尚、この突出部３２の先端部分は本図に示すような鋭角的なものを示すが、この他鈍角状のものや弧状の或いは接する対向面に対して滑りにくい形状のもの等であってもよい。少なくともこの突出部３２とピンズ１及びキャッチ２との間で不用意な回動を防止できるものであればよい。
【００２３】
図４は、図３に示す本考案に係るピンズ回動防止具３の一例を製造するに際した製造手順の一例を示す。本来図３に示すピンズ回動防止具３に関してはその形状に成型すればよいものである。しかし、ある程度小型であることから本体３０に有する孔３１の挿通方向の両方向に対して突出部３２を形成すること精密な機器等をもって成形することが必要となる等コスト面での高騰が生じかねない。従って簡易に製造できる一例を示す。
【００２４】
即ち本体３０の中央に孔３１を設け、少なくとも一方向に突出部３２を有するピンズ回動防止具３の中間生成物を製造する。この場合一方向のみに突出部３２を有すればよいことから、本体３０に突出部３２を形成した上で一方向に折り曲げることによりこの中間生成物は簡単に製造できる。この場合これを二つ用い、それぞれ突出部３２を有しない本体３０の面同士を蝋付けする。
【００２５】
すると図５に示す孔３１の挿通方向の両方向に対して突出部３２を有する本考案に係るピンズ回動防止具３が簡単に製造できるものである。尚、本図構成はそれぞれの面への突出部３２は４つずつであり、それぞれ反対方向に突出部３２が突出するように形づくられている。これに限らず突出部３２の数を２つ以上の数としてよく、更にそれぞれの方向の突出部３２の数を同じくするものの他、異なる数の突出部３２を有するものであってもよい。更にはその突出部３２の設置位置が同一個所に限らず殊更ずらしたものであってもよい。
【００２６】
図６は、本考案に係るピンズ回動防止具３の他の一例を示す図である。本図に示す構成は、ピンズ回動防止具３の本体３０は平板状からなり、その中心部にタックピン１１を挿通する孔３１を有する。この本体３０の両面即ち本体３０に有する孔３１の挿通方向の両方向に対して突出部３２を有するものである。又該突出部３２は該本体３０の面であって本体の周縁部分に突出部３２が形成されているものである。この突出部３２は三角形状の突出部からなり、それぞれの方向に８か所の突出部３２を有する構成を示す。
【００２７】
尚、本図はそれぞれの面に８か所ずつ突出部３２を有しているが、これに限らず３か所の突出部３２を有する構成や５か所の突出部３２を有するもの、或いは６か所の突出部３２を有するもの、７か所の突出部３２を有するものであるそれぞれの構成であってもよい。或いは８か所以上の突出部３２を有するものであってもよい。更に、それぞれ突出部３２は孔３１の挿通方向の両方向であってそれぞれ同位置から反対方向に突出してなるものである。
【００２８】
本図は一例であり、それぞれの面の異なる場所に突出部３２を有するものであってもよく、或いはそれぞれの面の突出部３２の数が異なるものであってもよい。更に本図ではそれぞれの面に形成されている突出部３２の形状はほぼ同様の形状からなるが、これに限らず異なる形状の突出部３２を有するものであってもよい。少なくとも、装着時にそれぞれの面の突出部３２がピンズ１やキャッチ２と接触あるいは弾圧等してピンズ１の不用意な回動を防止できるものであればよい。
【００２９】
図７は、本考案に係るピンズ回動防止具３の他の一例を示す図である。同様に、ピンズ回動防止具３の本体３０は平板状からなり、その中心部にタックピン１１を挿通する孔３１を有しており、本体３０に有する孔３１の挿通方向の両方向に対して突出部３２を有するものである。この突出部３２はそれぞれの面において４つずつ有しているがその設置場所がそれぞれの面でずれて形成している。従ってこの様に構成するものであってもよい。
【００３０】
尚、本図迄に示す突出部３２はすべて本体３０の周縁部分に形成しているものであり、又円形の平板状の本体３０をもって構成しているが、これらに限らず突出部３２が本体の周縁以外の個所に有するものであってもよく、本体とは別素材で構成されているものであってももちろんよい。更には本体３０の形状も円形の平板状の本体に限らず、四角形状に三角形状或いは多角形状や楕円形状その他を任意の形状を有するものであってもよい。更に平板状のものが使用し易いが、これに限らず立体的な形状を有するものであってもよく球形状や各種の立方体形状等を有するものであってもよい。
【００３１】
図８は、突出部３２が本体の周縁部分に形成しているものだけではなく本体３０の任意の中央部位置から突出形成されている一例を示す図である。本図に示すように周縁部に限らず任意位置に突出部３２を有するものであってもよい。
【００３２】
図９は、本考案に係るピンズ回動防止具３の一例の製造例を示す図である。本図に示す構成は、平板状の本体３０の中央部に孔３１を有しており、更に本体にはその本体の平面上に突出部３２を有する一例である。即ち平板状の略円形の本体３０の中央部に孔３１を有し、この円形状の外周には外周側縁の延長方向に放射状に突出部３２を有している。この場合、この突出部３２は計８か所設けられているがこれに限らず４個以上例えば１０個、或いは１６個程度等これ等以下の突出部３２を有するものであってもよい。
【００３３】
この様に構成した後に、該本体３０の孔３１の挿通方向の両方向に該突出部３２を折り曲げることにより必要な突出部３２を必要方向に形成できるものである。従ってこの場合であっても本体３０の形状等に限定されず本体と孔３１とを少なくとも有し、更に少なくとも４つ以上の突出部３２を平面上に有しており、この突出部３２を任意に折り曲げることにより本考案に係るピンズ回動防止具３を形成できるものである。この様に構成するものであってもよい。
【００３４】
図１０は、図９に示すピンズ回動防止具を使用に際して任意に形作ることのできる一例を示す図である。図１１は、本考案に係るピンズ回動防止具３の使用状態の一例を示す図である。装着すべき布例えば服等に対してピンズを装着する場合に服等の外側にピンズ１のボディ部１０を配し、ピンズ１のタックピン１１をこの服等の布に刺し通すものであり、このタックピン１１は更にピンズ回動防止具３の本体３０の孔３１に挿通する。この挿通した状態で更にキャッチによってタックピンを係止する。
【００３５】
この係止状態が図１２に示す構成である。従って、ピンズ１のタックピン１１は布とピンズ回動防止具３の孔３１を挿通した上でキャッチ２によって係止されている。この場合ピンズ回動防止具３の突出部３２は、布を介してピンズ１のボディ部１０との間で接しており、又、キャッチ２と突出部３２とで接しており、キャッチ２をピンズ方向に圧力をもって係止させることによりタックピン１１をきっちりと係止できることから、不用意にずれることなく係止できることとなる。
【００３６】
図１３は、更に回動を防止すると共にピンズ１の見栄えを良くするため更にフェルト等を用いた装着状態の他の一例を示す図である。ピンズ１を装着する場合にピンズ１のボディ部１０が外部から視認し易いようにまずフェルト上にピンズ１のボディ部１０を配し、ピンズ１のタックピン１１をこのフェルトに挿通する。更にこのタックピン１１は更にピンズ回動防止具３の本体３０の孔３１に挿通する。その後更に装着する服等の布に刺し通すものであり、この挿通した状態で更にキャッチ２によってタックピン１１を係止する。
【００３７】
従ってフェルトと布とにそれぞれピンズ回動防止具３の突出部３２が噛むこととなり、更にピンズ１のボディ部１０と突出部３２との間で圧力をもって係止させることとなり、又、キャッチ２と突出部３２との間で圧力をもって係止させることとなる。これによりタックピン１１をきっちりとキャッチ２で係止できることから、不用意にずれることなく係止できることとなる。
【符号の説明】
【００３８】
１  ピンズ
１０  ボディ部
１１  タックピン
２  キャッチ
３  ピンズ回動防止具
３０  本体
３１  孔
３２  突出部
【図１】
0003206841.tif 000003
【図２】
0003206841.tif 000004
【図３】
0003206841.tif 000005
【図４】
0003206841.tif 000006
【図５】
0003206841.tif 000007
【図６】
0003206841.tif 000008
【図７】
0003206841.tif 000009
【図８】
0003206841.tif 000010
【図９】
0003206841.tif 000011
【図１０】
0003206841.tif 000012
【図１１】
0003206841.tif 000013
【図１２】
0003206841.tif 000014
【図１３】
0003206841.tif 000015
【図１４】
0003206841.tif 000016